【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、
前記決済処理手段からの前記決済処理の完了通知により該決済処理に係わる指定金額の範囲内で選択された金額に対応した有価価値が関連付けられた記録媒体を発行する媒体発行手段と
を有し、
前記決済処理手段は、
前記デビットカードの受け入れ後、前記媒体発行手段に前記記録媒体の発行に係わる操作要求を指示する操作要求指示手段と、
前記操作要求指示手段による前記操作要求の指示後、前記媒体発行手段から通知される金額を前記指定金額として前記決済処理を行い、該決済処理の完了を前記媒体発行手段に通知する決済処理完了通知手段と
を具備し、
前記媒体発行手段は、
発行する記録媒体の有価価値に対応する金額を選択する選択手段と、
前記操作要求指示手段により指示された前記操作要求を受けることにより、前記選択手段による金額の選択を受け付け、該選択された金額を前記決済処理手段に通知する金額通知手段と、
前記金額通知手段による金額の通知後、前記決済処理完了通知手段により前記決済処理の完了通知を受けることにより、前記選択手段で選択された金額に対応する有価価値が関連付けられた記録媒体を発行するように制御する制御手段と
を具備することを特徴とする遊技料金処理ユニット。
【請求項２】
前記選択手段は、
発行する記録媒体の有価価値に対応する金額を選択する第１の選択ボタンと、
発行する記録憶媒体の有価価値に対応する金額及び現金払出金額の両者を同時に選択する第２の選択ボタンと
を具備し、
前記金額通知手段は、
前記第１の選択ボタンにより前記有価価値に対応する金額が選択された場合、該金額を前記決済処理手段に通知する第１の通知手段と、
前記第２の選択ボタンにより前記有価価値に対応する金額及び現金払出金額の両者が選択された場合、該有価価値に対応する金額と前記現金払出金額とを合算した金額を前記決済処理手段に通知する第２の通知手段と
を具備し、
前記制御手段は、
前記第１の通知手段による金額の通知後、前記決済処理完了通知手段により前記決済処理の完了通知を受けることにより、前記第１の選択ボタンで選択された金額に対応する有価価値が関係付けられた記録媒体を発行するように制御する第１の制御手段と、
前記第２の通知手段による金額の通知後、前記決済処理完了通知手段により前記決済処理の完了通知を受けることにより、前記第２の選択ボタンで選択された金額に対応する有価価値が関係付けられた記録媒体を発行するとともに前記現金払出金額を払い出すように制御する第２の制御手段と
を具備することを特徴とする請求項１記載の遊技料金処理ユニット。
【請求項３】
前記選択手段は、
発行する記録媒体の有価価値に対応する金額を選択する第１の選択ボタンと、
現金払出金額を選択する第２の選択ボタンと
を具備し、
前記金額通知手段は、
前記第１の選択ボタンにより前記記録媒体の有価価値に対応する金額のみが選択された場合、該有価価値に対応する金額を前記決済処理手段に通知する第１の通知手段と、
前記第１の選択ボタンにより前記記録媒体の有価価値に対応する金額が選択され、かつ前記第２の選択ボタンにより前記現金払出金額が選択された場合は、該有価価値に対応する金額と該現金払出金額とを合算した金額を前記決済処理手段に通知する第２の通知手段と、
前記第２の選択ボタンにより前記現金払出金額のみが選択された場合は、該現金払出金額を前記決済処理手段に通知する第３の通知手段と
を具備し、
前記制御手段は、
前記第１の通知手段による金額の通知後、前記決済処理完了通知手段により前記決済処理の完了通知を受けることにより、前記第１の選択ボタンで選択された金額に対応する有価価値が関係付けられた記録媒体を発行するように制御する第１の制御手段と、
前記第２の通知手段による金額の通知後、前記決済処理完了通知手段により前記決済処理の完了通知を受けることにより、前記第１の選択ボタンで選択された金額に対応する有価価値が関係付けられた記録媒体を発行するとともに前記第２の選択手段で選択された現金払出金額を払い出すように制御する第２の制御手段と、
前記第３の通知手段による金額の通知後、前記決済処理完了通知手段により前記決済処理の完了通知を受けることにより、前記第２の選択ボタンで選択された前記現金払出金額を払い出すように制御する第３の制御手段と
を具備することを特徴とする請求項１記載の遊技料金処理ユニット。
【請求項４】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、
前記決済処理手段からの前記決済処理の完了通知により該決済処理に係わる指定金額の範囲内で選択された金額に対応した有価価値が関連付けられた記録媒体を発行する媒体発行手段と
を有し、
前記決済処理手段は、
決済する金額を指定する金額指定手段と、
前記金額指定手段により指定された金額を前記指定金額として前記決済処理を行った後、該決済処理の完了及び該決済処理に係わる指定金額を前記媒体発行手段に通知する通知手段と
を具備し、
前記媒体発行手段は、
発行する記録媒体の有価価値に対応する金額を選択する選択手段と、
前記通知手段により通知された前記指定金額の範囲で前記選択手段による金額の選択を受け付け、該選択された金額に対応する有価価値が関連付けられた記録媒体を発行するように制御する制御手段と
を具備することを特徴とする遊技料金処理ユニット。
【請求項５】
前記媒体発行手段は、
前記通知手段で通知された前記決済処理に係わる指定金額と実際に発行された記録媒体の有価価値に対応する金額との差額を算出する差額算出手段と、
前記差額算出手段で算出された差額に応じた現金を払い出す現金払出手段と
を更に具備することを特徴とする請求項４記載の遊技料金処理ユニット。
【請求項６】
現金を受け付ける現金受付手段
を更に具備し、
前記媒体発行手段は、
前記現金受付手段で受け付けた現金の金額の範囲内で前記選択手段による金額の選択を受け付け、該選択された金額に対応する有価価値が関連付けられた記録媒体を発行する手段
を更に具備することを特徴とする請求項１または４記載の遊技料金処理ユニット。
【請求項７】
有価価値が関連付けられた記録媒体を受け入れ、該有価価値に基づいて遊技媒体を貸し出す処理を行う記録媒体処理装置と、前記遊技媒体を用いて遊技を行う遊技機と、前記記憶媒体の発行データを管理する管理装置と有する遊技システムに設けられ、前記管理装置と所定の通信手段で接続される遊技料金処理ユニットであって、
デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、
前記決済処理手段からの前記決済処理の完了通知により該決済処理に係わる指定金額の範囲内で選択された金額に対応した有価価値が関連付けられた記録媒体を発行する媒体発行手段と
を有し、
前記決済処理手段は、
前記指定金額に基づく決済処理を行った後、該決済処理の完了を前記媒体発行手段に通知する通知手段
を具備し、
前記媒体発行手段は、
発行する記録媒体の有価価値に対応する金額を選択する選択手段と、
前記通知手段により前記決済処理手段から前記決済処理の完了通知を受け、かつ前記管理装置から該当記憶媒体の発行が許可された場合に、前記選択手段により選択された金額に対応する有価価値が関連付けられた記録媒体を発行するように制御する制御手段と
を具備することを特徴とする遊技料金処理ユニット。
【手続補正２】
【補正対象書類名】明細書
【補正対象項目名】００１０
【補正方法】変更
【補正の内容】
【００１０】
上記目的を達成するため、請求項１の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、前記決済処理手段からの前記決済処理の完了通知により該決済処理に係わる指定金額の範囲内で選択された金額に対応した有価価値が関連付けられた記録媒体を発行する媒体発行手段とを有し、前記決済処理手段は、前記デビットカードの受け入れ後、前記媒体発行手段に前記記録媒体の発行に係わる操作要求を指示する操作要求指示手段と、前記操作要求指示手段による前記操作要求の指示後、前記媒体発行手段から通知される金額を前記指定金額として前記決済処理を行い、該決済処理の完了を前記媒体発行手段に通知する決済処理完了通知手段とを具備し、前記媒体発行手段は、発行する記録媒体の有価価値に対応する金額を選択する選択手段と、前記操作要求指示手段により指示された前記操作要求を受けることにより、前記選択手段による金額の選択を受け付け、該選択された金額を前記決済処理手段に通知する金額通知手段と、前記金額通知手段による金額の通知後、前記決済処理完了通知手段により前記決済処理の完了通知を受けることにより、前記選択手段で選択された金額に対応する有価価値が関連付けられた記録媒体を発行するように制御する制御手段とを具備することを特徴とする。
【手続補正３】
【補正対象書類名】明細書
【補正対象項目名】００１１
【補正方法】変更
【補正の内容】
【００１１】
また、請求項２の発明は、請求項１の発明において、前記選択手段は、発行する記録媒体の有価価値に対応する金額を選択する第１の選択ボタンと、発行する記録憶媒体の有価価値に対応する金額及び現金払出金額の両者を同時に選択する第２の選択ボタンとを具備し、前記金額通知手段は、前記第１の選択ボタンにより前記有価価値に対応する金額が選択された場合、該金額を前記決済処理手段に通知する第１の通知手段と、前記第２の選択ボタンにより前記有価価値に対応する金額及び現金払出金額の両者が選択された場合、該有価価値に対応する金額と前記現金払出金額とを合算した金額を前記決済処理手段に通知する第２の通知手段とを具備し、前記制御手段は、前記第１の通知手段による金額の通知後、前記決済処理完了通知手段により前記決済処理の完了通知を受けることにより、前記第１の選択ボタンで選択された金額に対応する有価価値が関係付けられた記録媒体を発行するように制御する第１の制御手段と、前記第２の通知手段による金額の通知後、前記決済処理完了通知手段により前記決済処理の完了通知を受けることにより、前記第２の選択ボタンで選択された金額に対応する有価価値が関係付けられた記録媒体を発行するとともに前記現金払出金額を払い出すように制御する第２の制御手段とを具備することを特徴とする。
【手続補正４】
【補正対象書類名】明細書
【補正対象項目名】００１２
【補正方法】変更
【補正の内容】
【００１２】
また、請求項３の発明は、請求項１の発明において、前記選択手段は、発行する記録媒体の有価価値に対応する金額を選択する第１の選択ボタンと、現金払出金額を選択する第２の選択ボタンとを具備し、前記金額通知手段は、前記第１の選択ボタンにより前記記録媒体の有価価値に対応する金額のみが選択された場合、該有価価値に対応する金額を前記決済処理手段に通知する第１の通知手段と、前記第１の選択ボタンにより前記記録媒体の有価価値に対応する金額が選択され、かつ前記第２の選択ボタンにより前記現金払出金額が選択された場合は、該有価価値に対応する金額と該現金払出金額とを合算した金額を前記決済処理手段に通知する第２の通知手段と、前記第２の選択ボタンにより前記現金払出金額のみが選択された場合は、該現金払出金額を前記決済処理手段に通知する第３の通知手段とを具備し、前記制御手段は、前記第１の通知手段による金額の通知後、前記決済処理完了通知手段により前記決済処理の完了通知を受けることにより、前記第１の選択ボタンで選択された金額に対応する有価価値が関係付けられた記録媒体を発行するように制御する第１の制御手段と、前記第２の通知手段による金額の通知後、前記決済処理完了通知手段により前記決済処理の完了通知を受けることにより、前記第１の選択ボタンで選択された金額に対応する有価価値が関係付けられた記録媒体を発行するとともに前記第２の選択手段で選択された現金払出金額を払い出すように制御する第２の制御手段と、前記第３の通知手段による金額の通知後、前記決済処理完了通知手段により前記決済処理の完了通知を受けることにより、前記第２の選択ボタンで選択された前記現金払出金額を払い出すように制御する第３の制御手段とを具備することを特徴とする。
【手続補正５】
【補正対象書類名】明細書
【補正対象項目名】００１３
【補正方法】変更
【補正の内容】
【００１３】
また、請求項４の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムに設けられる遊技料金処理ユニットであって、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、前記決済処理手段からの前記決済処理の完了通知により該決済処理に係わる指定金額の範囲内で選択された金額に対応した有価価値が関連付けられた記録媒体を発行する媒体発行手段とを有し、前記決済処理手段は、決済する金額を指定する金額指定手段と、前記金額指定手段により指定された金額を前記指定金額として前記決済処理を行った後、該決済処理の完了及び該決済処理に係わる指定金額を前記媒体発行手段に通知する通知手段とを具備し、前記媒体発行手段は、発行する記録媒体の有価価値に対応する金額を選択する選択手段と、前記通知手段により通知された前記指定金額の範囲で前記選択手段による金額の選択を受け付け、該選択された金額に対応する有価価値が関連付けられた記録媒体を発行するように制御する制御手段とを具備することを特徴とする。
【手続補正６】
【補正対象書類名】明細書
【補正対象項目名】００１４
【補正方法】変更
【補正の内容】
【００１４】
また、請求項５の発明は、請求項４の発明において、前記媒体発行手段は、前記通知手段で通知された前記決済処理に係わる指定金額と実際に発行された記録媒体の有価価値に対応する金額との差額を算出する差額算出手段と、前記差額算出手段で算出された差額に応じた現金を払い出す現金払出手段とを更に具備することを特徴とする。
【手続補正７】
【補正対象書類名】明細書
【補正対象項目名】００１５
【補正方法】変更
【補正の内容】
【００１５】
また、請求項６の発明は、請求項１または４の発明において、現金を受け付ける現金受付手段を更に具備し、前記媒体発行手段は、前記現金受付手段で受け付けた現金の金額の範囲内で前記選択手段による金額の選択を受け付け、該選択された金額に対応する有価価値が関連付けられた記録媒体を発行する手段を更に具備することを特徴とする。  
また、請求項７の発明は、有価価値が関連付けられた記録媒体を受け入れ、該有価価値に基づいて遊技媒体を貸し出す処理を行う記録媒体処理装置と、前記遊技媒体を用いて遊技を行う遊技機と、前記記憶媒体の発行データを管理する管理装置と有する遊技システムに設けられ、前記管理装置と所定の通信手段で接続される遊技料金処理ユニットであって、デビットカードからカード情報を読み取り、該カード情報と指定金額とを通信回線を介してデビットシステムのセンタ処理装置に送信することにより、該センタ処理装置に対して当該カード情報に対応した口座から前記指定金額を引き落とす決済処理を行わせる決済処理手段と、前記決済処理手段からの前記決済処理の完了通知により該決済処理に係わる指定金額の範囲内で選択された金額に対応した有価価値が関連付けられた記録媒体を発行する媒体発行手段とを有し、前記決済処理手段は、前記指定金額に基づく決済処理を行った後、該決済処理の完了を前記媒体発行手段に通知する通知手段を具備し、前記媒体発行手段は、発行する記録媒体の有価価値に対応する金額を選択する選択手段と、前記通知手段により前記決済処理手段から前記決済処理の完了通知を受け、かつ前記管理装置から該当記憶媒体の発行が許可された場合に、前記選択手段により選択された金額に対応する有価価値が関連付けられた記録媒体を発行するように制御する制御手段とを具備することを特徴とする。
【手続補正８】
【補正対象書類名】明細書
【補正対象項目名】０１２７
【補正方法】変更
【補正の内容】
【０１２７】
更に、上記各実施例では、デビット端末８０とカード発行機６０とを独立に設けた場合について述べたが、これらデビット端末８０とカード発行機６０とを１ユニット（請求項の遊技料金処理ユニットに相当）内に一体化した構造（デビット端末８０と両替機または券売機等の組み合わせにおいても利用可能）としても良い。